(57)【特許請求の範囲】
【請求項１】
コンテンツを符号基準クロックに基づいて符号化して複数の放送データを生成し放送する放送装置と、当該複数の放送データを順次受信する受信装置と、受信された放送データを第１経路で受信装置から受け取り復号基準クロックに基づいて復号してコンテンツを再生する再生装置とからなるシステムにおいて用いられる周波数補正方法であって、
前記放送装置において、前記符号基準クロックに基づいて計時される時刻を示す放送側時間情報を、一部の放送データに含めて放送する時間情報放送ステップと、
前記受信装置において、受信した放送データに、前記放送側時間情報が含まれているか否かを判断する判断ステップと、
前記受信装置において、放送側時間情報が含まれていると判断された場合に、前記放送側時間情報が含まれていると判断されたタイミングを示すタイミング情報を、前記第１経路とは異なる第２経路を用いて前記再生装置へ伝送する伝送ステップと、
前記再生装置において、前記タイミング情報を受信したタイミングにおける、前記復号基準クロックに基づいて計時される時刻を示す再生側時間情報と、前記第１経路で受け取った放送側時間情報とを用いて、前記復号基準クロックの周波数を、前記符号基準クロックの周波数に近づける方向に補正する補正ステップと
を含むことを特徴とする周波数補正方法。
【請求項２】
前記伝送ステップは、
前記放送側時間情報が放送データに含まれていたことを含む受信装置の何らかの状態のうちの、少なくとも１つが変化した事を示す状態変化信号を、前記第２経路でただちに前記再生装置へ伝送する第１伝送サブステップと、
第１伝送サブステップにより状態変化信号が伝えられると、当該状態変化信号が、受信装置のいかなる状態が変化した事を示すかを、前記第１経路で前記再生装置へ伝送する第２伝送サブステップとを含み、  前記補正ステップは、
前記第２伝送サブステップにより伝えられた状態変化が、前記放送側時間情報が放送データに含まれていたことを示す場合にのみ、前記復号基準クロックの周波数を補正すること
を特徴とする請求項１に記載の周波数補正方法。
【請求項３】
コンテンツを符号基準クロックに基づいて符号化して生成した複数の放送データを放送装置から受信し、順次受信した前記複数の放送データを、復号基準クロックに基づいて復号してコンテンツを再生する再生装置へ第１経路で伝える受信装置であって、
前記放送装置は、前記符号基準クロックに基づいて計時される時刻を示す放送側時間情報を、一部の放送データに含めて放送しており、受信した放送データに放送側時間情報が含まれているか否かを判断する判断手段と、
前記判断手段において、放送側時間情報が含まれていると判断された場合に、前記放送側時間情報が含まれていると判断されたタイミングを示すタイミング情報を前記第１経路とは異なる第２経路を用いて前記タイミング情報を基に周波数補正を行う前記再生装置へ伝送する伝送手段とを備え、
前記伝送手段は、
前記放送側時間情報が放送データに含まれていたことを含む受信装置の何らかの状態のうちの、少なくとも１つが変化した事を示す状態変化信号を、前記第２経路を用いて前記再生装置へただちに伝送する第１伝送手段と、
当該状態変化信号が、受信装置のいかなる状態が変化した事を示すかを、前記第１経路で伝送する第２伝送手段と
を含むことを特徴とする受信装置。
【請求項４】
コンテンツを符号基準クロックに基づいて符号化して生成した複数の放送データを放送装置から受信し、順次受信した前記複数の放送データを、復号基準クロックに基づいて復号してコンテンツを再生する再生装置へ第１経路で伝える受信装置であって、
前記放送装置は、前記符号基準クロックに基づいて計時される時刻を示す放送側時間情報を、一部の放送データに含めて放送しており、受信した放送データに放送側時間情報が含まれているか否かを判断する判断手段と、
前記判断手段において、放送側時間情報が含まれていると判断された場合に、前記放送側時間情報が含まれていると判断されたタイミングを示すタイミング情報を前記第１経路とは異なる第２経路を用いて前記タイミング情報を基に周波数補正を行う前記再生装置へ伝送する伝送手段とを備え、
前記伝送手段は、
第１放送側時間情報が含まれていると判断された第１タイミングを示す第１タイミング情報と第２放送時間情報が含まれていると判断された第２タイミングを示す第２タイミング情報とを前記第１経路とは異なる第２経路を用いて前記再生装置へ伝送し、  当該受信装置は、さらに、
前記放送側時間情報を前記再生装置へ伝える代わりに、第１放送側時間情報と第２放送側時間情報との差分である時間差情報を当該時間差情報に基づいて周波数補正を行う前記再生装置へ前記第１経路を用いて伝送する差分伝送手段
を備えることを特徴とする受信装置。
【請求項５】
コンテンツを符号基準クロックに基づいて符号化して生成した複数の放送データを放送装置から受信し、順次受信した前記複数の放送データを、復号基準クロックに基づいて復号してコンテンツを再生する再生装置へ第１経路で伝える受信装置であって、
前記放送装置は、前記符号基準クロックに基づいて計時される時刻を示す放送側時間情報を、一部の放送データに含めて放送しており、受信した放送データに放送側時間情報が含まれているか否かを判断する判断手段と、
前記判断手段において、放送側時間情報が含まれていると判断された場合に、前記放送側時間情報が含まれていると判断されたタイミングを示すタイミング情報を前記第１経路とは異なる第２経路を用いて前記タイミング情報を基に周波数補正を行う前記再生装置へ伝送する伝送手段とを備え、
前記伝送手段は、さらに、
予め定められた閾値を保持する閾値保持手段を含み、
前記伝送手段は、
第１放送側時間情報と第２放送側時間情報との差分である時間差情報が、前記閾値保持手段により保持されている閾値を越えた場合のみ、前記タイミング情報を前記第２経路を用いてただちに前記再生装置へ伝送すること
を特徴とする受信装置。
【請求項６】
コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する再生装置であって、
一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて、前記放送側時間情報が含まれていると判断されたタイミングを示すタイミング情報を取得する取得手段と、
前記タイミング情報を取得したタイミングにおける、前記復号基準クロックに基づいて計時される時刻を示す再生側時間情報と前記第１経路から受け取った放送側時間情報とを用いて、前記復号基準クロックの周波数を、前記符号基準クロックの周波数に近づける方向に補正する補正手段と
を備えることを特徴とする再生装置。
【請求項７】
前記取得手段は、
前記放送側時間情報が放送データに含まれていたことを含む前記受信装置の何らかの状態のうちの、少なくとも１つが変化した事を示す状態変化信号を検知する検知手段と、
前記検知手段により前記状態変化信号を検知した場合に、前記状態変化信号が前記受信装置のいかなる状態が変化した事を示すかを確認する確認手段とを含み、
前記補正手段は、
前記確認手段により前記状態変化信号が、前記受信装置において前記放送側時間情報が放送データに含まれていたことを示すと確認した場合のみに、前記復号基準クロックの周波数を補正すること
を特徴とする請求項６に記載の再生装置。
【請求項８】
前記取得手段は、
前記受信装置において第１放送側時間情報が放送データに含まれていると判断された第１タイミングを示す第１タイミング情報と第２放送側時間情報が放送データに含まれていると判断された第２タイミングを示す第２タイミング情報とを取得し、
前記補正手段は、
前記放送側時間情報が伝えられる代わりに、第１放送側時間情報と第２放送側時間情報との差分である時間差情報が伝えられ、前記第１タイミング、前記第２タイミングおよび前記時間差情報を用いて前記復号基準クロックの周波数を補正すること
を特徴とする請求項６に記載の再生装置。
【請求項９】
コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する処理をコンピュータに実行させるプログラムであって、
一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて、前記放送側時間情報が含まれていると判断されたタイミングを示すタイミング情報を取得する取得ステップと、  前記タイミング情報を取得したタイミングにおける、前記復号基準クロックに基づいて計時される時刻を示す再生側時間情報と前記第１経路から受け取った放送側時間情報とを用いて、前記復号基準クロックの周波数を、前記符号基準クロックの周波数に近づける方向に補正する補正ステップと
をコンピュータに実行させることを特徴とするプログラム。
【請求項１０】
前記取得ステップは、
前記放送側時間情報が放送データに含まれていたことを含む前記受信装置の何らかの状態のうちの、少なくとも１つが変化した事を示す状態変化信号を検知する検知サブステップと、
前記検知手段により前記状態変化信号を検知した場合に、前記状態変化信号が前記受信装置のいかなる状態が変化した事を示すかを確認する確認サブステップとを含み、
前記補正ステップは、
前記確認手段により前記状態変化信号が、前記受信装置において前記放送側時間情報が放送データに含まれていたことを示すと確認した場合のみに、前記復号基準クロックの周波数を補正すること
を特徴とする請求項９に記載のプログラム。
【請求項１１】
前記取得ステップは、
前記受信装置において第１放送側時間情報が放送データに含まれていると判断された第１タイミングを示す第１タイミング情報と第２放送側時間情報が放送データに含まれていると判断された第２タイミングを示す第２タイミング情報とを取得し、
前記補正ステップは、
前記放送側時間情報が伝えられる代わりに、第１放送側時間情報と第２放送側時間情報との差分である時間差情報が伝えられ、前記第１タイミング、前記第２タイミングおよび前記時間差情報を用いて前記復号基準クロックの周波数を補正すること
を特徴とする請求項９に記載のプログラム。
【発明の詳細な説明】
【０００１】
【発明の属する技術分野】
本発明は、ディジタル放送を受信再生するシステムに関し、特にクロック周波数の補正方法、受信装置、再生装置及びプログラムに関する。
【０００２】
【従来の技術】
ＣＳディジタル放送、ＢＳディジタル放送の開始に見られるように、ディジタル方式の放送が急速に進展している。ディジタル放送は映像や音声などのコンテンツを符号化して複数の放送データを生成し順次放送する放送装置と当該複数の放送データを受信し復号化して再生する受信再生装置とからなるシステムによって実現される。
【０００３】
放送装置と受信再生装置とには、それぞれ基準クロックが設けられている。その基準クロックを用いて計時することで、それぞれ放送装置の時刻（以下「放送側時刻」と呼ぶ）と受信再生装置の時刻（以下「再生側時刻」と呼ぶ）とを生成し保有している。ＭＰＥＧ２規格では、コンテンツは受信再生装置において再生すべき時刻を示すタイムスタンプと呼ばれる情報が添付され放送される。放送装置はコンテンツを符号化する際に前記放送側時刻を参照してタイムスタンプを付し、受信後、受信再生装置は付されたタイムスタンプが前記再生側時刻と一致したときにコンテンツを再生するようになっている。
【０００４】
ところが、これらの放送装置と受信再生装置とに設けられた基準クロックは互いに独立しているため、それぞれの基準クロックの周波数に誤差があれば、放送側時刻と再生側時刻とにずれが生じてしまう。この時刻のずれは放っておくと拡大していき、やがてコンテンツが適正に再生できなくなってしまう。
そこで前記ずれを補正するために、放送装置が、映像や音声などのコンテンツとは別に、放送側時刻を符号化した放送側時間情報をも一部の放送データに含めて放送し、受信再生装置が、受信した放送データに含まれる前記放送側時間情報から、それぞれの基準クロックの周波数の誤差を算出し補正するという基準クロック補正機構を備えている。この基準クロック補正機構により、放送側時刻と再生側時刻とがほぼ一致し、コンテンツの再生が適正に行われる。（非特許文献１参照のこと。）以下、図１１を用いて前記基準クロック補正機構を説明する。
【０００５】
図１１は、従来の受信再生装置の構成を示す図である。
まず放送データは受信再生装置６０６内の時間情報抽出部６０１を通過する。時間情報抽出部６０１は放送データに放送側時間情報が含まれている場合に、放送側時間情報を放送側時間情報保持部６０２へ伝送し、時間情報を受信したことを放送側時間情報の受信を示す信号により時間情報管理部６０３に通知する。時間情報管理部６０３は時間情報抽出部６０１からの信号を受けて、前記放送側時間情報を受信したタイミングにおける受信再生側時間情報を受信再生側時間情報保持部６０４から読出す。その後、時間情報管理部６０３は放送側時間情報と受信再生側時間情報とを比較し、それぞれの基準クロックの周波数の差異を計算し、可変周波数発生部６０５に対し補正量を通知する。可変周波数発生部６０５は通知された補正量をもとに発振周波数の補正を行う。
【０００６】
ところで近年、携帯電話機や携帯情報端末に代表される携帯端末は軽量化、高性能化、低価格化が急速に進み、爆発的に普及している。今後前述のディジタル放送の普及に伴い、このような携帯端末においてディジタル放送を受信する機能が要求されるであろう。携帯端末においてディジタル放送を受信するシステムは、次のようなものが有力であると考えられる。ＳＤメモリカードやメモリスティックのような小型記憶デバイスに放送受信機能を付加した拡張カードを受信装置として用い、また、携帯端末を再生装置として用いる。この拡張カードと携帯端末とを接続することにより、携帯端末においてディジタル放送を受信するシステムを実現する。（小型記憶デバイスの仕様概要については、非特許文献２を参照のこと。）
通常、これらの小型記憶デバイスと携帯端末とはバスにより接続されているため、受信装置で受信した放送データをバスを介して再生装置に伝送することが望ましい。
【０００７】
【非特許文献１】
藤原洋  監修「ポイント図解式最新ＭＰＥＧ教科書」第１版第３刷、（株）アスキー、１９９５年２月２１日、ｐ．２３６−２３８。
【０００８】
【非特許文献２】
「インターフェース」１９９９年１２月号、ＣＱ出版社、ｐ．１２４−１３１。
【０００９】
【発明が解決しようとする課題】
しかしながらバスによる伝送の場合、バスが空いている時は即座に放送データの伝達が行えるが、バスが空いていない時は待機しなければならない。これは即ち、受信装置から再生装置まで放送側時間情報の伝送にかかる時間が不確定であることを意味する。放送側時間情報を用いて基準クロックの周波数補正を行うには、単に放送側時間情報の内容だけではなく、放送側時間情報を受信したタイミングも必要であるため、バスによる伝送では基準クロックの周波数補正が正しく行えない。
【００１０】
本発明は以上説明した事情に鑑みてなされたもので、放送データが受信装置と再生装置との間でバスを介して伝送される場合においても、適正な基準クロックの周波数補正を行うことを可能とする方法、装置及びプログラムを提供することを目的とする。
【００１１】
【課題を解決するための手段】
上記目的を達成するために、本発明に係る基準クロックの周波数補正方法は、コンテンツを符号基準クロックに基づいて符号化して複数の放送データを生成し放送する放送装置と、当該複数の放送データを順次受信する受信装置と、受信された放送データを第１経路で受信装置から受け取り復号基準クロックに基づいて復号してコンテンツを再生する再生装置とからなるシステムにおいて用いられる周波数補正方法であって、前記放送装置において前記符号基準クロックに基づいて計時される時刻を示す放送側時間情報を一部の放送データに含めて放送する時間情報放送ステップと、前記受信装置において受信した放送データに前記放送側時間情報が含まれているか否かを判断する判断ステップと、前記受信装置において放送側時間情報が含まれていると判断された場合に、前記放送側時間情報が含まれていると判断されたタイミングを示すタイミング情報を前記第１経路とは異なる第２経路を用いて前記再生装置へ伝送する伝送ステップと、前記再生装置において前記タイミング情報を受信したタイミングにおける前記復号基準クロックに基づいて計時される時刻を示す再生側時間情報と前記第１経路で受け取った放送側時間情報とを用いて前記復号基準クロックの周波数を前記符号基準クロックの周波数に近づける方向に補正する補正ステップとを含むことを特徴とする。
【００１２】
このように受信装置で放送側時間情報を受信したタイミングは、第２経路を用いて再生装置へ伝送されるため、第１経路の混雑具合に関わらず常に一定時間で伝送できる。
したがって、再生装置において、復号基準クロックの周波数を符号基準クロックの周波数に近づける方向に適正に補正することができる。
【００１３】
また、上記目的を達成するために、本発明に係る基準クロックの周波数補正のための受信装置は、コンテンツを符号基準クロックに基づいて符号化して生成した複数の放送データを放送装置から受信し、順次受信した前記複数の放送データを、復号基準クロックに基づいて復号してコンテンツを再生する再生装置へ第１経路で伝える受信装置であって、前記放送装置は前記符号基準クロックに基づいて計時される時刻を示す放送側時間情報を一部の放送データに含めて放送しており、受信した放送データに放送側時間情報が含まれているか否かを判断する判断手段と、前記判断手段において放送側時間情報が含まれていると判断された場合に、前記放送側時間情報が含まれていると判断されたタイミングを示すタイミング情報を前記第１経路とは異なる第２経路を用いて前記タイミング情報を基に周波数補正を行う前記再生装置へ伝送する伝送手段とを備えることを特徴とする。
【００１４】
また、上記目的を達成するために、本発明に係る基準クロックの周波数補正のための再生装置は、コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する再生装置であって、一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて前記放送側時間情報が含まれていると判断されたタイミングを示すタイミング情報を取得する取得手段と、前記タイミング情報を取得したタイミングにおける前記復号基準クロックに基づいて計時される時刻を示す再生側時間情報と前記第１経路から受け取った放送側時間情報とを用いて前記復号基準クロックの周波数を前記符号基準クロックの周波数に近づける方向に補正する補正手段とを備えることを特徴とする。
【００１５】
また、上記目的を達成するために、本発明に係る基準クロックの周波数補正のためのプログラムは、コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する処理をコンピュータに実行させるプログラムであって、一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて前記放送側時間情報が含まれていると判断されたタイミングを示すタイミング情報を取得する取得ステップと、前記タイミング情報を取得したタイミングにおける前記復号基準クロックに基づいて計時される時刻を示す再生側時間情報と前記第１経路から受け取った放送側時間情報とを用いて前記復号基準クロックの周波数を前記符号基準クロックの周波数に近づける方向に補正する補正ステップとをコンピュータに実行させることを特徴とする。
【００１６】
【発明の実施の形態】
（実施の形態１）
＜概要＞
本発明の実施の形態１は、受信装置と再生装置とが分離しており、受信装置で受信した放送データはバス経由で再生装置へ伝送される。このようなシステムにおいて、再生装置に備える復号基準クロックの周波数を放送装置に備える符号基準クロックの周波数に近づける方向に補正する技術を示す。補正には、放送側時間情報の内容だけではなく、放送側時間情報を受信装置において受信したタイミングも必要である。そのため受信装置で受信した放送側時間情報の内容はバス経由で再生装置へ伝送し、放送側時間情報を受信したタイミングは状態変化信号として専用線経由で再生装置へ伝送している。
【００１７】
＜構成＞
図１は、本発明の実施の形態１に係る受信装置１０６と再生装置１１２との構成を示す図である。
映像や音声などのコンテンツを放送装置に備える符号基準クロックに基づいて符号化した複数の放送データが放送装置から放送される。一部の放送データには符号基準クロックを用いて計時される放送側時刻を示す放送側時間情報を含む。
【００１８】
受信装置１０６は、放送データ受信部１０１、放送側時間情報抽出部１０２、放送側時間情報保持部１０３、状態変化信号出力部１０４および放送データ保持部１０５を備え、複数の放送データを順次受信し保持する。保持されたデータは再生装置１１２の要求に従い出力される。
また再生装置１１２は、受信装置１０６にて受信した放送データを受け取り、コンテンツの再生を行う。再生装置１１２には状態変化信号受信部１０７、管理部１０８、放送データ取込み部１０９、可変周波数発生部１１０および再生側時間情報保持部１１１を備えている。
【００１９】
放送データは放送データ受信部１０１で受信され、放送側時間情報抽出部１０２を通過して放送データ保持部１０５へ伝送され保持される。
放送側時間情報抽出部１０２は、受信した放送データに放送側時間情報が含まれているか否かを判断する。放送側時間情報が含まれていれば、前記放送側時間情報を抽出し放送側時間情報保持部１０３へ伝送し、さらに前記時間情報を受信したことを、状態変化信号出力部１０４へ通知する。
【００２０】
放送側時間情報保持部１０３は、放送側時間情報抽出部１０２から伝送された前記放送側時間情報を保持する。
状態変化信号出力部１０４は、前記放送側時間情報を受信したことを放送側時間情報抽出部１０２から受けて、状態変化信号を再生装置１１２に備える状態変化信号受信部１０７へ出力する。当該状態変化信号出力部１０４と状態変化信号を受信する状態変化信号受信部１０７とは専用線で接続されているため、バスの混雑具合に関わらず常に一定の時間で通信できる。また状態変化信号は放送側時間情報を受信したことだけに限らず、他の状態変化があった場合も出力されるので、状態変化信号出力部１０４は、受信装置１０６のいかなる状態が変化したことによって状態変化信号を出力したのかを後から照会できるようにしている。
【００２１】
状態変化信号受信部１０７は、状態変化信号を受信した場合、状態変化信号出力部１０４から状態変化信号を受けたことを管理部１０８と再生側時間情報保持部１１１とに通知する。再生側時間情報保持部１１１は通知を受けて、当該再生装置１１２の時刻を示す再生側時間情報を保持する。これにより、放送側時間情報を受信装置１０６で受信したタイミングが再生装置１１２に伝わり保持されることになる。
【００２２】
管理部１０８は、状態変化信号受信部１０７からの通知を受けて、放送データ取込み部１０９とバスとを介して受信装置１０６にいかなる状態変化があったのか状態変化信号出力部１０４に対して照会する。その結果、状態変化が放送側時間情報を受信したことを示す場合に、管理部１０８は放送データ取込み部１０９を介して放送側時間情報保持部１０３に保持している放送側時間情報を読出し、さらに再生側時間情報保持部１１１に保持している再生側時間情報とを読出してこれらを比較する。比較の結果、放送側時間情報と再生側時間情報とに差異があれば、再生装置の時刻を放送装置の時刻に更正するように再生側時間情報保持部１１１に指示し、さらに符号基準クロックの周波数に対する復号基準クロックの周波数の誤差を算出する。その誤差から復号基準クロックを符号基準クロックに近づける方向に補正するための補正量を算出して、可変周波数発生部１１０にその補正量を通知する。
【００２３】
放送データ取込み部１０９は、受信装置１０６に保持している放送データを順次取込む。また管理部１０８の要求に従って放送側時間情報などをバス経由で取込む。
可変周波数発生部１１０は、管理部１０８から通知された補正量に従って発振周波数を変化させて補正を実施する。
【００２４】
再生側時間情報保持部１１１は、可変周波数発生部１１０から出力される周波数を用いて計時することで再生側時刻を生成している。また、状態変化信号受信部１０７からの通知を受けた時に、そのタイミングでの再生側時刻を保持する。また管理部１０８の指示に従い、再生側時刻を放送側時刻に合致するように更正する。
【００２５】
＜動作＞
次に、以上のように構成された受信装置１０６と再生装置１１２との動作について説明する。図２は、本発明の実施形態の形態１に係る受信装置１０６と再生装置１１２との動作手順を示す図である。
放送側時間情報抽出部１０２が、受信した放送データに放送側時間情報が含まれているか否かの判断を行い（Ｓ１０１）、放送側時間情報（放送装置の時刻、例えば１２時３４分５０秒１１を符号化したデータ）が含まれていれば（Ｓ１０１：Ｙｅｓであれば）、放送側時間情報を抽出する（Ｓ１０２）。
【００２６】
放送側時間情報保持部１０３が放送側時間情報を保持し、放送側時間情報抽出部１０２が放送側時間情報を受信したことを状態変化信号出力部１０４へ通知する（Ｓ１０３）。
その後、状態変化信号出力部１０４が状態変化信号を専用線経由で状態変化信号受信部１０７へ出力する（Ｓ１０４）。
【００２７】
状態変化信号受信部１０７が状態変化信号を受けたことを、即座に管理部１０８と再生側時間情報保持部１１１とに通知し、再生側時間情報保持部１１１が再生側時間情報（再生装置の時刻、例えば１２時３４分５０秒１０）を保持する（Ｓ１０５）。
管理部１０８が状態変化信号受信部１０７からの通知を受けて、受信装置１０６にいかなる状態変化があったのか状態変化信号出力部１０４に照会する（Ｓ１０６）。照会の結果が放送側時間情報を受信したことを示す場合に（Ｓ１０６：Ｙｅｓであれば）、放送側時間情報と再生側時間情報とを読出し、差異があるか判断する（Ｓ１０７）。
【００２８】
Ｓ１０７において、差異があれば（Ｓ１０７：Ｙｅｓであれば）管理部１０８が再生装置の時刻を放送装置の時刻に合致するよう再生側時間情報保持部１１１に更正を指示し（再生装置の時刻を１２時３４分５０秒１１に更正する）、さらに前回更正した時刻（例えば１２時３４分５０秒００とする）から今回更正した時刻（１２時３４分５０秒１０）までの時間間隔（０．１秒間）を算出する。その時間間隔に差異（ここでは０．０１秒）が発生したことから、管理部１０８が符号基準クロックの周波数（ＭＰＥＧ２−ＴＳ規格においては２７ＭＨｚ）に対する復号基準クロックの周波数の誤差（０．１秒間に対して０．０１秒。すなわち１０パーセント）を算出し、誤差に応じて可変周波数発生部１１０で発振周波数の補正を行う（Ｓ１０８）。
【００２９】
上述のように本実施の形態１における受信装置１０６と再生装置１１２とによれば、放送側時間情報を受信したことは状態変化信号として専用線経由で受信装置から再生装置へと伝送される。すなわち、放送側時間情報を受信装置１０６で受信したタイミングが再生装置１１２に伝送される。この放送側時間情報を受信したタイミングと放送側時間情報の内容とを用いることで、復号基準クロックの周波数を符号基準クロックの周波数に近づける方向に適正に補正することができる。
（実施の形態２）
＜概要＞
ある任意の放送側時間情報を第１放送側時間情報とし、第１放送側時間情報より後に受信した放送側時間情報を第２放送側時間情報とする。本発明の実施の形態２では、受信した第１放送側時間情報と第２放送側時間情報との差分である放送側時間差情報が、予め設定された閾値を越えた場合にのみ、復号基準クロックの補正に係る処理を行う。これにより、実施の形態１に比べて受信装置から再生装置へ伝送する通信回数が削減できる。
【００３０】
＜構成＞
図３は、本発明の実施の形態２に係る受信装置２０６と再生装置１１２との構成を示す図である。
図３に示す受信装置２０６は、実施の形態１における受信装置１０６に閾値保持部２１３を加えた構成となる。閾値保持部２１３以外の構成要素は実施の形態１と同様なので同一符号を付し、説明を省略する。
【００３１】
閾値保持部２１３は、予め設定されている閾値を保持する。ここで閾値は前回受信した第１放送側時間情報と新たに受信した第２放送側時間情報との差分である時間差情報と比較されるものであり、状況に応じて適切な値に設定される。
保持された閾値は放送側時間情報抽出部１０２の要求に従い出力される。
＜動作＞
次に、以上のように構成された受信装置２０６と再生装置１１２との動作について説明する。図４は、本発明の実施形態の形態２に係る受信装置２０６と再生装置１１２との動作手順を示す図である。
【００３２】
ここで第１放送側時間情報が予め放送側時間情報保持部１０３に保持されているとする。
放送側時間情報抽出部１０２が、受信した放送データに第２放送側時間情報が含まれているか否かの判断を行い（Ｓ１０１）、第２放送側時間情報が含まれていれば（Ｓ１０１：Ｙｅｓであれば）、第２放送側時間情報を抽出する（Ｓ２０１）。
【００３３】
さらに放送側時間情報抽出部１０２が、放送側時間情報保持部１０３から第１時間情報を読出し、第１放送側時間情報と第２放送側時間情報との差分である放送側時間差情報を算出する（Ｓ２０２）。
放送側時間情報抽出部１０２が、放送側時間差情報と閾値保持部２１３に予め設定され保持されている閾値とを比較し、放送側時間差情報が閾値を越えているか否か判別する（Ｓ２０３）。前記放送側時間差情報が閾値を越えている場合に（Ｓ２０３：Ｙｅｓの場合）、放送側時間情報抽出部１０２が、第２放送側時間情報を受信したことを状態変化信号出力部１０４へ通知し、第２放送側時間情報を放送側時間情報保持部１０３に伝送し保持させる（Ｓ２０４）。
【００３４】
その後、状態変化信号出力部１０４が状態変化信号を専用線経由で状態変化信号受信部１０７へ出力する（Ｓ１０４）。
状態変化信号受信部１０７が状態変化信号を受けたことを、即座に管理部１０８と再生側時間情報保持部１１１とに通知し、再生側時間情報保持部１１１は第２再生側時間情報を保持する（Ｓ２０５）。
【００３５】
管理部１０８が状態変化信号受信部１０７からの通知を受けて、受信装置２０６にいかなる状態変化があったのか状態変化信号出力部１０４に照会する（Ｓ１０６）。照会の結果が放送側時間情報を受信したことを示す場合に（Ｓ１０６：Ｙｅｓであれば）、管理部１０８が第２放送側時間情報と第２再生側時間情報とを読出し、差異があるか判断する（Ｓ２０６）。
【００３６】
Ｓ２０６において、差異があれば（Ｓ２０６：Ｙｅｓであれば）管理部１０８が再生装置の時刻を放送装置の時刻に合致するよう再生側時間情報保持部１１１に更正を指示し、さらに前回更正した時刻から今回更正した時刻までの時間間隔を算出する。その時間間隔に差異が発生したことから、管理部１０８が符号基準クロックの周波数に対する復号基準クロックの周波数の誤差を算出し、誤差に応じて可変周波数発生部１１０で発振周波数の補正を行う（Ｓ１０８）。
【００３７】
上述のように本実施の形態２における受信装置２０６と再生装置１１２とによれば、受信した第１放送側時間情報と第２放送側時間情報との差分である放送側時間差情報が予め設定された閾値を越えた場合にのみ、復号基準クロックの周波数を符号基準クロックの周波数に近づける方向に補正する。従って、受信装置２０６と再生装置１１２との基準クロックの補正に係る通信回数が削減できる。
（実施の形態３）
＜概要＞
本発明の実施の形態３は、受信した第１放送側時間情報と第２放送側時間情報との差分である放送側時間差情報を復号基準クロックの周波数補正のための情報とする。これにより、実施の形態１に比べて受信装置から再生装置へ伝送するデータサイズが削減できる。
【００３８】
＜構成＞
図５は、本発明の実施の形態３に係る受信装置３０６と再生装置１１２との構成を示す図である。
図５に示す受信装置３０６は、実施の形態１における受信装置１０６に放送側時間差情報保持部３１４を加えた構成となる。放送側時間差情報保持部３１４以外の構成要素は実施の形態１と同様なので同一符号を付し、説明を省略する。
【００３９】
放送側時間差情報保持部３１４は、前回受信した第１放送側時間情報と新たに受信した第２放送側時間情報との差分である放送側時間差情報を保持する。保持された放送側時間差情報は再生装置１１２の要求に従い出力される。
＜動作＞
次に、以上のように構成された受信装置と３０６再生装置１１２との動作について説明する。図６は、本発明の実施形態の形態３に係る受信装置３０６と再生装置１１２との動作手順を示す図である。
【００４０】
ここで第１放送側時間情報が予め放送側時間情報保持部１０３に保持されているとする。
放送側時間情報抽出部１０２が、受信した放送データに第２放送側時間情報が含まれているか否かの判断を行い（Ｓ１０１）、第２放送側時間情報が含まれていれば（Ｓ１０１：Ｙｅｓであれば）、第２放送側時間情報を抽出する（Ｓ２０１）。
【００４１】
さらに放送側時間情報抽出部１０２が、放送側時間情報保持部１０３から第１時間情報を読出し、第１放送側時間情報と第２放送側時間情報との差分である放送側時間差情報を算出する（Ｓ２０２）。
放送側時間情報抽出部１０２が、第２放送側時間情報を受信したことを状態変化信号出力部１０４へ通知し、第２放送側時間情報を放送側時間情報保持部１０３に伝送し保持させる（Ｓ２０４）。さらに放送側時間情報抽出部１０２が、前記放送側時間差情報を放送側時間差情報保持部３１４に伝送し保持させる（Ｓ３０１）。
【００４２】
その後、状態変化信号出力部１０４が状態変化信号を専用線経由で状態変化信号受信部１０７へ出力する（Ｓ１０４）。
状態変化信号受信部１０７が状態変化信号を受けたことを、即座に管理部１０８と再生側時間情報保持部１１１とに通知し、再生側時間情報保持部１１１は第２再生側時間情報を保持する（Ｓ２０５）。
【００４３】
管理部１０８が状態変化信号受信部１０７からの通知を受けて、受信装置３０６にいかなる状態変化があったのか状態変化信号出力部１０４に照会する（Ｓ１０６）。照会の結果が放送側時間情報を受信したことを示す場合に（Ｓ１０６：Ｙｅｓであれば）、再生側時間情報保持部１１１に保持されている第１再生側時間情報と第２再生側時間情報との差分である再生側時間差情報を算出する（Ｓ３０２）。
【００４４】
次に、管理部１０８が放送側時間差情報と再生側時間差情報との差異があるか否か判断する（Ｓ３０３）。差異があれば（Ｓ３０３：Ｙｅｓであれば）管理部１０８が再生装置の時刻を放送装置の時刻に合致するよう再生側時間情報保持部１１１に更正を指示し、さらに前回更正した時刻から今回更正した時刻までの時間間隔を算出する。その時間間隔に差異が発生したことから、管理部１０８が符号基準クロックの周波数に対する復号基準クロックの周波数の誤差を算出し、誤差に応じて可変周波数発生部１１０で発振周波数の補正を行う（Ｓ１０８）。
【００４５】
上述のように本実施の形態３における受信装置３０６と再生装置１１２とによれば、受信した第１放送側時間情報と第２放送側時間情報との差分である放送側時間差情報を、復号基準クロックの周波数を符号基準クロックの周波数に近づける方向に補正するための情報としている。従って、受信装置３０６と再生装置１１２との復号基準クロックの補正に係るデータサイズが削減できる。
（実施の形態４）
＜概要＞
本発明の実施の形態４は、受信した第１放送側時間情報と第２放送側時間情報との差分である放送側時間差情報を基準クロック補正のための情報とし、かつ、その放送側時間差情報が予め設定された閾値を越えた場合にのみ、基準クロックの補正に係る処理を行う。これにより、実施の形態３に比べて受信装置から再生装置へ伝送する通信回数が削減できる。
【００４６】
＜構成＞
図７は、本発明の実施の形態４に係る受信装置４０６と再生装置１１２との構成を示す図である。
図７に示す受信装置４０６は、実施の形態３における受信装置３０６に閾値保持部２１３を加えた構成となる。閾値保持部２１３以外の構成要素は実施の形態３と同様なので同一符号を付し、説明を省略する。
【００４７】
また閾値保持部２１３は実施の形態２で説明したものと同様であり、予め設定されている閾値を保持する。ここで閾値は前回受信した第１放送側時間情報と新たに受信した第２放送側時間情報との差分である時間差情報と比較されるものであり、状況に応じて適切な値に設定される。
保持された閾値は放送側時間情報抽出部１０２の要求に従い出力される。
【００４８】
＜動作＞
次に、以上のように構成された受信装置４０６と再生装置１１２との動作について説明する。図８は、本発明の実施形態の形態４に係る受信装置４０６と再生装置１１２の動作手順を示す図である。
ここで第１放送側時間情報が予め放送側時間情報保持部１０３に保持されているとする。
【００４９】
放送側時間情報抽出部１０２が、受信した放送データに第２放送側時間情報が含まれているか否かの判断を行い（Ｓ１０１）、第２放送側時間情報が含まれていれば（Ｓ１０１：Ｙｅｓであれば）、第２放送側時間情報を抽出する（Ｓ２０１）。
さらに放送側時間情報抽出部１０２が、放送側時間情報保持部１０３から第１時間情報を読出し、第１放送側時間情報と第２放送側時間情報との差分である放送側時間差情報を算出する（Ｓ２０２）。
【００５０】
放送側時間情報抽出部１０２が、前記放送側時間差情報と閾値保持部２１３に予め設定され保持されている閾値とを比較し、放送側時間差情報が閾値を越えているか否か判別する（Ｓ２０３）。前記放送側時間差情報が閾値を越えている場合に（Ｓ２０３：Ｙｅｓの場合）、放送側時間情報抽出部１０２が、第２放送側時間情報を受信したことを状態変化信号出力部１０４へ通知し、第２放送側時間情報を放送側時間情報保持部１０３に伝送し保持させる。（Ｓ２０４）さらに放送側時間情報抽出部１０２が、前記放送側時間差情報を放送側時間差情報保持部３１４に伝送し保持させる（Ｓ３０１）。
【００５１】
その後、状態変化信号出力部１０４が状態変化信号を専用線経由で状態変化信号受信部１０７へ出力する（Ｓ１０４）。
状態変化信号受信部１０７が状態変化信号を受けたことを、即座に管理部１０８と再生側時間情報保持部１１１とに通知し、再生側時間情報保持部１１１は第２再生側時間情報を保持する（Ｓ２０５）。
【００５２】
管理部１０８が状態変化信号受信部１０７からの通知を受けて、受信装置４０６にいかなる状態変化があったのか状態変化信号出力部１０４に照会する（Ｓ１０６）。照会の結果が放送側時間情報を受信したことを示す場合に（Ｓ１０６：Ｙｅｓであれば）、再生側時間情報保持部１１１に保持されている第１再生側時間情報と第２再生側時間情報との差分である再生側時間差情報を算出する（Ｓ３０２）。
【００５３】
次に、管理部１０８が放送側時間差情報と再生側時間差情報との差異があるか否か判断する（Ｓ３０３）。差異があれば（Ｓ３０３：Ｙｅｓであれば）管理部１０８が再生装置の時刻を放送装置の時刻に合致するよう再生側時間情報保持部１１１に更正を指示し、さらに前回更正した時刻から今回更正した時刻までの時間間隔を算出する。その時間間隔に差異が発生したことから、管理部１０８が符号基準クロックの周波数に対する復号基準クロックの周波数の誤差を算出し、誤差に応じて可変周波数発生部１１０で発振周波数の補正を行う（Ｓ１０８）。
【００５４】
上述のように本実施の形態４における受信装置４０６と再生装置１１２とによれば、受信した第１放送側時間情報と第２放送側時間情報との差分である放送側時間差情報を、復号基準クロックの周波数を符号基準クロックの周波数に近づける方向に補正するための情報としている。さらに、放送側時間差情報が予め設定された閾値を越えた場合にのみ、復号基準クロックの周波数を符号基準クロックの周波数に近づける方向に補正する。従って、受信装置４０６と再生装置１１２との復号基準クロックの補正に係るデータサイズと通信回数とが削減できる。
【００５５】
なお、実施の形態１から４では、放送側時間情報を受信したタイミングは専用線を用いて伝送されると説明した。しかし、そのタイミングを一定時間で再生装置へ通知することさえできれば、専用線に限られない。例えばタイミングの伝送をバスの一部を用いて行ってもよい。これについて具体的に図９を用いて説明する。
【００５６】
図９は、本発明の受信装置と再生装置との構成を示す図である。
受信装置５０１は、ディジタル放送受信機能付きの機能拡張カードであり、内部にフロントエンド部５０３、放送側時間情報抽出部５０４およびインターフェイス部５０５を有する。
再生装置５０２は、機能拡張カードを接続することができる携帯電話機や携帯情報端末などであり、内部にインターフェイス部５０６、ＶＣＯ制御部５０７、ＣＰＵ、ＤＭＡコントローラ、デコーダなどを有する。
【００５７】
フロントエンド部５０３は、チューナおよび復調ＬＳＩを有し、アンテナで受信した放送波の復調処理を行い、放送データを放送側時間情報抽出部５０４およびインターフェイス部５０５に出力する。
放送側時間情報抽出部５０４は、放送データから時間情報を検出するものであり、図１における放送側時間情報抽出部１０２と同様の機能を有する。
【００５８】
インターフェイス部５０５および５０６は、機能拡張カードと携帯電話機または携帯情報端末との間の通信を執り行う。
ＶＣＯ制御部５０７は、再生装置５０２の時刻を補正するものであり、図１における管理部１０８、可変周波数発生部１１０および再生側時間情報保持部１１１の機能を有する。
【００５９】
受信装置５０１と再生装置５０２との間の通信は、インターフェイス部５０５および５０６の間を接続することで成立する。接続する線は図９に示すように、制御信号線ＣＭＤ、クロック信号線ＣＬＫ、データ線ＤＡＴ０〜ＤＡＴ３がある。放送データは、データ線ＤＡＴ０〜ＤＡＴ３により伝送される。データ線は、高いデータ転送レートが必要な場合に４本並列に用いられ、データ転送レートが低くてもよい場合に１本を用いて残りの端子は使用しないこともできる。放送データの伝送にデータ線を１本しか用いない場合に、放送データの伝送に使用しないデータ線は他の利用ができる。図９においては、放送データはＤＡＴ０を用いて伝送され、割込み制御信号はＤＡＴ１を用いてを伝送され、放送側時間情報を検出したタイミングはＤＡＴ２を用いて伝送されている。このように受信装置５０１は、バスの一部を用いて放送側時間情報を検出したタイミングを再生装置５０２に伝送することもできる。
【００６０】
また、再生装置５０２は、携帯電話機や携帯情報端末などであるのでそれ自体に既存のアンテナを備えている。したがって放送データも既存のアンテナを共用して受信する形態が考えられる。
図１０は、上記の形態の受信装置と再生装置との構成を示す図である。
このような形態は、再生装置５０２の既存のアンテナで放送データを受信し、受信した放送データをインターフェイス部５０６及び５０５を介してフロントエンド部５０３のチューナに入力することで実現される。
【００６１】
このように既存のアンテナを共用することで、新たに放送データの受信用にアンテナを設ける必要がなくなる。
【００６２】
【発明の効果】
本発明に係る基準クロックの周波数補正方法は、コンテンツを符号基準クロックに基づいて符号化して複数の放送データを生成し放送する放送装置と、当該複数の放送データを順次受信する受信装置と、受信された放送データを第１経路で受信装置から受け取り復号基準クロックに基づいて復号してコンテンツを再生する再生装置とからなるシステムにおいて用いられる周波数補正方法であって、前記放送装置において前記符号基準クロックに基づいて計時される時刻を示す放送側時間情報を一部の放送データに含めて放送する時間情報放送ステップと、前記受信装置において受信した放送データに前記放送側時間情報が含まれているか否かを判断する判断ステップと、前記受信装置において放送側時間情報が含まれていると判断された場合に、前記放送側時間情報が含まれていると判断されたタイミングを示すタイミング情報を前記第１経路とは異なる第２経路を用いて前記再生装置へ伝送する伝送ステップと、前記再生装置において前記タイミング情報を受信したタイミングにおける前記復号基準クロックに基づいて計時される時刻を示す再生側時間情報と前記第１経路で受け取った放送側時間情報とを用いて前記復号基準クロックの周波数を前記符号基準クロックの周波数に近づける方向に補正する補正ステップとを含むことを特徴とする。
【００６３】
このように、受信装置で放送側時間情報を受信したタイミングは、第２経路を用いて再生装置へ伝送されるため、第１経路の混雑具合に関わらず常に一定時間で伝送できる。
したがって、再生装置において、復号基準クロックの周波数を符号基準クロックの周波数に近づける方向に適正に補正することができる。
【００６４】
また、前記伝送ステップは、前記放送側時間情報が放送データに含まれていたことを含む受信装置の何らかの状態のうちの少なくとも１つが変化した事を示す状態変化信号を前記第２経路でただちに前記再生装置へ伝送する第１伝送サブステップと、第１伝送サブステップにより状態変化信号が伝えられると当該状態変化信号が受信装置のいかなる状態が変化した事を示すかを前記第１経路で前記再生装置へ伝送する第２伝送サブステップとを含み、前記補正ステップは、前記第２伝送サブステップにより伝えられた状態変化が前記放送側時間情報が放送データに含まれていたことを示す場合にのみ前記復号基準クロックの周波数を補正することとしてもよい。
【００６５】
このように、受信装置で放送側時間情報を受信したタイミングは、状態変化信号を用いて再生装置に伝送される。状態変化信号は、受信装置で状態変化が起きた場合にその旨を再生装置に通知するための信号である。
したがって、放送側時間情報を受信したタイミングに限らず、受信装置における他の状態変化をも再生装置に伝送することができる。
【００６６】
本発明に係る受信装置は、コンテンツを符号基準クロックに基づいて符号化して生成した複数の放送データを放送装置から受信し、順次受信した前記複数の放送データを、復号基準クロックに基づいて復号してコンテンツを再生する再生装置へ第１経路で伝える受信装置であって、前記放送装置は前記符号基準クロックに基づいて計時される時刻を示す放送側時間情報を一部の放送データに含めて放送しており、受信した放送データに放送側時間情報が含まれているか否かを判断する判断手段と、前記判断手段において放送側時間情報が含まれていると判断された場合に、前記放送側時間情報が含まれていると判断されたタイミングを示すタイミング情報を前記第１経路とは異なる第２経路を用いて前記タイミング情報を基に周波数補正を行う前記再生装置へ伝送する伝送手段とを備えることを特徴とする。
【００６７】
このように受信装置で放送側時間情報を受信したタイミングは、第２経路を用いて再生装置へ伝送されるため、第１経路の混雑具合に関わらず常に一定時間で伝送できる。
したがって、再生装置において、復号基準クロックの周波数を符号基準クロックの周波数に近づける方向に適正に補正することができる。
【００６８】
また、前記伝送手段は、前記放送側時間情報が放送データに含まれていたことを含む受信装置の何らかの状態のうちの少なくとも１つが変化した事を示す状態変化信号を前記第２経路を用いて前記再生装置へただちに伝送する第１伝送手段と、当該状態変化信号が受信装置のいかなる状態が変化した事を示すかを前記第１経路で伝送する第２伝送手段とを含むこととしてもよい。
【００６９】
このように、受信装置で放送側時間情報を受信したタイミングは、状態変化信号を用いて再生装置に伝送される。状態変化信号は、受信装置で状態変化が起きた場合にその旨を再生装置に通知するための信号である。
したがって、放送側時間情報を受信したタイミングに限らず、受信装置における他の状態変化をも再生装置に伝送することができる。
【００７０】
また、前記伝送手段は、第１放送側時間情報が含まれていると判断された第１タイミングを示す第１タイミング情報と第２放送時間情報が含まれていると判断された第２タイミングを示す第２タイミング情報とを前記第１経路とは異なる第２経路を用いて前記再生装置へ伝送し、当該受信装置は、さらに、前記放送側時間情報を前記再生装置へ伝える代わりに第１放送側時間情報と第２放送側時間情報との差分である時間差情報を当該時間差情報に基づいて周波数補正を行う前記再生装置へ前記第１経路を用いて伝送する差分伝送手段を備えることとしてもよい。
【００７１】
このように、受信装置は、第１放送側時間情報と第２放送側時間情報との差分である時間差情報を再生装置に伝送する。
したがって、受信装置から再生装置に第１経路を用いて伝送するデータのサイズを削減することができる。
また、前記伝送手段は、さらに、予め定められた閾値を保持する閾値保持手段を含み、前記伝送手段は、第１放送側時間情報と第２放送側時間情報との差分である時間差情報が前記閾値保持手段により保持されている閾値を越えた場合のみ前記タイミング情報を前記第２経路を用いてただちに前記再生装置へ伝送することとしてもよい。
【００７２】
このように、受信装置は、時間差情報が閾値を越えた場合にのみ、状態変化信号を再生装置に伝送する。
したがって、基準クロックの補正に係るデータの通信回数を削減することができる。
本発明に係る再生装置は、コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する再生装置であって、一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて前記放送側時間情報が含まれていると判断されたタイミングを示すタイミング情報を取得する取得手段と、前記タイミング情報を取得したタイミングにおける前記復号基準クロックに基づいて計時される時刻を示す再生側時間情報と前記第１経路から受け取った放送側時間情報とを用いて前記復号基準クロックの周波数を前記符号基準クロックの周波数に近づける方向に補正する補正手段とを備えることを特徴とする。
【００７３】
このように、受信装置で放送側時間情報を受信したタイミングは、第２経路を用いて当該再生装置へ伝送されるため、第１経路の混雑具合に関わらず常に一定時間で伝送できる。
したがって、再生装置において、復号基準クロックの周波数を符号基準クロックの周波数に近づける方向に適正に補正することができる。
【００７４】
また、前記取得手段は、前記放送側時間情報が放送データに含まれていたことを含む前記受信装置の何らかの状態のうちの少なくとも１つが変化した事を示す状態変化信号を検知する検知手段と、前記検知手段により前記状態変化信号を検知した場合に、前記状態変化信号が前記受信装置のいかなる状態が変化した事を示すかを確認する確認手段とを含み、前記補正手段は、前記確認手段により前記状態変化信号が前記受信装置において前記放送側時間情報が放送データに含まれていたことを示すと確認した場合のみに前記復号基準クロックの周波数を補正することとしてもよい。
【００７５】
このように、受信装置で放送側時間情報を受信したタイミングは、状態変化信号を用いて再生装置に伝送される。状態変化信号は、受信装置で状態変化が起きた場合にその旨を再生装置に通知するための信号である。
したがって、放送側時間情報を受信したタイミングに限らず、受信装置における他の状態変化をも再生装置にて検知することができる。
【００７６】
また、前記取得手段は、前記受信装置において第１放送側時間情報が放送データに含まれていると判断された第１タイミングを示す第１タイミング情報と第２放送側時間情報が放送データに含まれていると判断された第２タイミングを示す第２タイミング情報とを取得し、前記補正手段は、前記放送側時間情報が伝えられる代わりに第１放送側時間情報と第２放送側時間情報との差分である時間差情報が伝えられ、前記第１タイミング、前記第２タイミングおよび前記時間差情報を用いて前記復号基準クロックの周波数を補正することとしてもよい。
【００７７】
このように、再生装置は、第１放送側時間情報と第２放送側時間情報との差分である時間差情報を受信装置から取得する。
したがって、受信装置から再生装置に第１経路を用いて伝送するデータのサイズを削減することができる。
本発明に係るプログラムは、コンテンツを符号基準クロックに基づいて符号化した複数の放送データを受信装置で受信し、順次受信した前記複数の放送データを第１経路で受信装置から受け取り、復号基準クロックに基づいて復号してコンテンツを再生する処理をコンピュータに実行させるプログラムであって、一部の放送データは前記符号基準クロックに基づいて計時される時刻を示す放送側時間情報を含めて放送されており、前記受信装置において受信した放送データに放送側時間情報が含まれていると判断された場合に、前記第１経路とは異なる第２経路を用いて前記放送側時間情報が含まれていると判断されたタイミングを示すタイミング情報を取得する取得ステップと、前記タイミング情報を取得したタイミングにおける前記復号基準クロックに基づいて計時される時刻を示す再生側時間情報と前記第１経路から受け取った放送側時間情報とを用いて前記復号基準クロックの周波数を前記符号基準クロックの周波数に近づける方向に補正する補正ステップとをコンピュータに実行させることを特徴とするプログラム。
【００７８】
このように、受信装置で放送側時間情報を受信したタイミングは、第２経路を用いて当該再生装置へ伝送されるため、第１経路の混雑具合に関わらず常に一定時間で伝送できる。
したがって、再生装置において、復号基準クロックの周波数を符号基準クロックの周波数に近づける方向に適正に補正することができる。
【００７９】
また、前記取得ステップは、前記放送側時間情報が放送データに含まれていたことを含む前記受信装置の何らかの状態のうちの少なくとも１つが変化した事を示す状態変化信号を検知する検知サブステップと、前記検知手段により前記状態変化信号を検知した場合に、前記状態変化信号が前記受信装置のいかなる状態が変化した事を示すかを確認する確認サブステップとを含み、前記補正ステップは、前記確認手段により前記状態変化信号が前記受信装置において前記放送側時間情報が放送データに含まれていたことを示すと確認した場合のみに前記復号基準クロックの周波数を補正することとしてもよい。
【００８０】
このように、受信装置で放送側時間情報を受信したタイミングは、状態変化信号を用いて再生装置に伝送される。状態変化信号は、受信装置で状態変化が起きた場合にその旨を再生装置に通知するための信号である。
したがって、放送側時間情報を受信したタイミングに限らず、受信装置における他の状態変化をも再生装置にて検知することができる。
【００８１】
また、前記取得ステップは、前記受信装置において第１放送側時間情報が放送データに含まれていると判断された第１タイミングを示す第１タイミング情報と第２放送側時間情報が放送データに含まれていると判断された第２タイミングを示す第２タイミング情報とを取得し、前記補正ステップは、前記放送側時間情報が伝えられる代わりに第１放送側時間情報と第２放送側時間情報との差分である時間差情報が伝えられ、前記第１タイミング、前記第２タイミングおよび前記時間差情報を用いて前記復号基準クロックの周波数を補正することとしてもよい。
【００８２】
このように、再生装置は、第１放送側時間情報と第２放送側時間情報との差分である時間差情報を受信装置から取得する。
したがって、受信装置から再生装置に第１経路を用いて伝送するデータのサイズを削減することができる。
【図面の簡単な説明】
【図１】本発明の実施の形態１に係る受信装置と再生装置との構成を示す図である。
【図２】同実施形態に係る受信装置と再生装置との動作手順を示す図である。
【図３】本発明の実施の形態２に係る受信装置と再生装置との構成を示す図である。
【図４】同実施形態に係る受信装置と再生装置との動作手順を示す図である。
【図５】本発明の実施の形態３に係る受信装置と再生装置との構成を示す図である。
【図６】同実施形態に係る受信装置と再生装置との動作手順を示す図である。
【図７】本発明の実施の形態４に係る受信装置と再生装置との構成を示す図である。
【図８】同実施形態に係る受信装置と再生装置との動作手順を示す図である。
【図９】受信装置と再生装置との構成を示す図である。
【図１０】受信装置と再生装置との構成を示す図である。
【図１１】従来の受信再生装置の構成を示す図である。
【符号の説明】
１０１  放送データ受信部
１０２  放送側時間情報抽出部
１０３  放送側時間情報保持部
１０４  状態変化信号出力部
１０５  放送データ保持部
１０６  受信装置
１０７  状態変化信号受信部
１０８  管理部
１０９  放送データ取込み部
１１０  可変周波数発生部
１１１  再生側時間情報保持部
１１２  再生装置
２１３  閾値保持部
３１４  放送側時間差情報保持部
５０１  受信装置
５０２  再生装置
５０３  フロントエンド部
５０４  放送側時間情報抽出部
５０５  インターフェイス部
５０６  インターフェイス部
５０７  ＶＣＯ制御部
【図１】
0004009182.tif 000002
【図２】
0004009182.tif 000003
【図３】
0004009182.tif 000004
【図４】
0004009182.tif 000005
【図５】
0004009182.tif 000006
【図６】
0004009182.tif 000007
【図７】
0004009182.tif 000008
【図８】
0004009182.tif 000009
【図９】
0004009182.tif 000010
【図１０】
0004009182.tif 000011
【図１１】
0004009182.tif 000012